(57)【要約】【課題】指紋センサ部が備えられる折り畳み式携帯端末装置において、筐体を開いた状態でも閉じた状態でも指紋読み取り操作をしやすくする。【解決手段】操作部（４）を有する第１筐体１と表示部（５）を有する第２筐体２とが、各筐体の一端側に設けられたヒンジ部３を介して折り畳み可能に組み付けられた折り畳み式携帯端末装置であって、ヒンジ部３には、指紋センサ部６が回動可能に備えられる。そして、両筐体１・２を折り畳んで閉じている状態で、指紋センサ部６がセンサ面６ａを両筐体１・２の上記一端側の向きに回動された第１位置で保持され、且つ、両筐体１・２を開いている状態では、指紋センサ部６がセンサ面６ａを第１筐体１の操作部（４）とほぼ同一方向の向きに回動された第２位置で保持される回動保持機構１９が備えられている。【選択図】図２
2008054179.tif 000002
【特許請求の範囲】
【請求項１】
操作部を有する第１筐体と表示部を有する第２筐体とが、両筐体の一端側に設けられたヒンジ部を介して折り畳み可能に組み付けられた折り畳み式携帯端末装置であって、
上記ヒンジ部には、指紋センサ部が回動可能に備えられるとともに、上記両筐体を折り畳んで閉じている状態で、上記指紋センサ部がセンサ面を上記両筐体の上記一端側の向きに回動された第１位置に保持され、且つ、上記両筐体を開いている状態では、上記指紋センサ部がセンサ面を上記第１筐体の上記操作部とほぼ同一方向の向きに回動された第２位置に保持される回動保持機構が備えられていることを特徴とする折り畳み式携帯端末装置。
【請求項２】
上記回動保持機構は、上記両筐体が閉じた状態から開いた状態に回動される際に、その回動に連動して、上記ヒンジ部において上記指紋センサ部がセンサ面を上記第１位置から上記第２位置に回動される第１連動機構を有することを特徴とする請求項１に記載の折り畳み式携帯端末装置。
【請求項３】
上記回動保持機構は、上記両筐体が開いた状態から閉じた状態に回動される際に、その回動に連動して、上記ヒンジ部において上記指紋センサ部がセンサ面を上記第２位置から上記第１位置に回動される第２連動機構を有することを特徴とする請求項１に記載の折り畳み式携帯端末装置。
【請求項４】
上記第２筐体は、ヒンジ軸を有するヒンジ筐体と上記表示部を有する表示筐体とで構成され、
上記表示筐体は上記ヒンジ筐体に対し上記ヒンジ軸と直交する第２軸を介して回転可能に組み付けられ、
上記表示筐体は上記ヒンジ筐体に対して、上記表示部が一方側を向いている第１向きと、その反対側に向いている第２向きとで保持可能であり、
上記ヒンジ部には、上記表示筐体が上記ヒンジ筐体に対し上記第２向きにある状態で、上記第２筐体が上記第１筐体に対し開いた状態から閉じた状態に回動された際に上記指紋センサ部が連動して回動しない機構を備えることを特徴とする請求項１から３のいずれか一項に記載の折り畳み式携帯端末装置。
【発明の詳細な説明】
【技術分野】
【０００１】
本発明は、指紋センサ部が備えられる折り畳み式携帯端末装置に関する。
【背景技術】
【０００２】
近年、非接触ＩＣカード機能を有した折り畳み式携帯電話が普及してきている。
この非接触ＩＣカード機能は、電子マネーや電子乗車券として利用されるもので、通常は携帯端末を閉じた状態で手に持ち、非接触ＩＣカード面側を下にしてリーダライタにかざすことで、非接触ＩＣカード機能を利用できるようにしている。
この際、電子マネーの利用という観点からそのセキュリティを考慮し、通常時はロック状態として非接触ＩＣカードを利用できないようにし、利用時にユーザ認証して非接触ＩＣカード機能のロックを解除し、その機能を利用できるようにしている。
そして、上記ユーザ認証の方法として指紋センサを利用できるようにしたものもある（特許文献１参照）。
【特許文献１】特開２００５−２０２９７９号公報
【発明の開示】
【発明が解決しようとする課題】
【０００３】
しかし、特許文献１の指紋センサ付き携帯端末の技術では、開いた状態でユーザ認証することを前提としているため、携帯端末を開いた状態であれば指紋読み取り可能であるが、閉じた状態では指紋センサが隠れるために指紋読み取りができない。また指紋センサはラインセンサであることからセンサ部分を指の腹でなぞる操作が必要になる。
従って、ユーザ認証を行う為には、前述したように電子マネー機能のロックを解除するような場合であっても、必ず携帯端末を開いて指紋読み取り操作を行ってロック解除し、その後、閉じてリーダライタにかざす、といった煩雑な作業が必要になる。
そこで、指紋センサを側面に設ければその開閉に拘わらず指紋読み取りが可能であるが、折り畳み携帯電話端末では、通常は、開いた状態にある場合、一方の手（例えば左手）で端末を下から支え、他方の手（例えば右手）で操作面を上方から操作する、といったことになるため、指紋センサ面は、上記先行技術のように操作面と同一向きの上方を向いていた方が操作しやすい。開いた状態で指紋センサ面が側面にあると、わざわざ指の向きを変えて、場合によっては持ち替えて操作する、といった煩雑な作業が必要になってしまう。
【０００４】
本発明の課題は、指紋センサ部が備えられる折り畳み式携帯端末装置において、筐体を開いた状態でも閉じた状態でも指紋読み取り操作をしやすくすることである。
【課題を解決するための手段】
【０００５】
以上の課題を解決するため、請求項１に記載の発明は、操作部を有する第１筐体と表示部を有する第２筐体とが、両筐体の一端側に設けられたヒンジ部を介して折り畳み可能に組み付けられた折り畳み式携帯端末装置であって、上記ヒンジ部には、指紋センサ部が回動可能に備えられるとともに、上記両筐体を折り畳んで閉じている状態で、上記指紋センサ部がセンサ面を上記両筐体の上記一端側の向きに回動された第１位置に保持され、且つ、上記両筐体を開いている状態では、上記指紋センサ部がセンサ面を上記第１筐体の上記操作部とほぼ同一方向の向きに回動された第２位置に保持される回動保持機構が備えられていることを特徴とする。
【０００６】
請求項２に記載の発明は、請求項１に記載の折り畳み式携帯端末装置であって、上記回動保持機構は、上記両筐体が閉じた状態から開いた状態に回動される際に、その回動に連動して、上記ヒンジ部において上記指紋センサ部がセンサ面を上記第１位置から上記第２位置に回動される第１連動機構を有することを特徴とする。
【０００７】
請求項３に記載の発明は、請求項１に記載の折り畳み式携帯端末装置であって、上記回動保持機構は、上記両筐体が開いた状態から閉じた状態に回動される際に、その回動に連動して、上記ヒンジ部において上記指紋センサ部がセンサ面を上記第２位置から上記第１位置に回動される第２連動機構を有することを特徴とする。
【０００８】
請求項４に記載の発明は、請求項１から３のいずれか一項に記載の折り畳み式携帯端末装置であって、上記第２筐体は、ヒンジ軸を有するヒンジ筐体と上記表示部を有する表示筐体とで構成され、上記表示筐体は上記ヒンジ筐体に対し上記ヒンジ軸と直交する第２軸を介して回転可能に組み付けられ、上記表示筐体は上記ヒンジ筐体に対して、上記表示部が一方側を向いている第１向きと、その反対側に向いている第２向きとで保持可能であり、上記ヒンジ部には、上記表示筐体が上記ヒンジ筐体に対し上記第２向きにある状態で、上記第２筐体が上記第１筐体に対し開いた状態から閉じた状態に回動された際に上記指紋センサ部が連動して回動しない機構を備えることを特徴とする。
【発明の効果】
【０００９】
本発明によれば、筐体を開いた状態で上方より指紋読み取り操作することができ、閉じた状態ではヒンジ部背後の端面方向より指紋読み取り操作することができる。すなわち、開いた状態及び閉じた状態共に操作しやすい指紋読み取り操作が可能となる。
【発明を実施するための最良の形態】
【００１０】
以下、図を参照して本発明を実施するための最良の形態を詳細に説明する。
図１は本発明を適用した折り畳み式携帯端末装置の一実施形態として携帯電話機を折り畳んで閉じた状態を示したもので、携帯電話機は、第１筐体１と第２筐体２がその一端側においてヒンジ部３（ヒンジ軸３ａ）を介して互いに折り畳み自在に連結して構成されている。なお、図４に示すように、第１筐体１には各種キーによる操作部４等が備えられ、第２筐体２には表示部５等が備えられ、ヒンジ部３には指紋センサ部６が回転可能に備えられている。
【００１１】
具体的には、第２筐体２は、表示部５を有する表示筐体７と、左右一対のヒンジ軸３ａを有するヒンジ筐体８とで構成されている。表示筐体７は、ヒンジ筐体８の中央部に対しヒンジ軸３ａの軸線と直交する第２軸９を介して回転可能に組み付けられている。ヒンジ筐体８は、第１筐体１の表示部４を有する面の一端側に突出する左右一対のブラケット１１を跨ぐコ字形状のもので、ブラケット１１の両外側に突出する左右一対のヒンジ軸３ａに組み付けられている。
【００１２】
また、左右一対のブラケット１１の間には、指紋センサ部６が左右一対の支軸１２（図２参照）を介して回動可能に組み付けられている。指紋センサ部６は、ラインセンサ方式により指紋を読み取る指紋センサモジュールを円柱状ケースに内蔵したもので、図示のように、指紋センサ面６ａを有している。
そして、一方の支軸１２には、指紋センサ部６とブラケット１１の間に位置する歯車１３が一体に組み付けられている。この歯車１３に噛み合う歯車１４が、一方のヒンジ軸３ａに一体に組み付けられている。
【００１３】
さらに、歯車１４を有するヒンジ軸３ａにはアーム１５が一体に形成されている。このアーム１５は、ヒンジ軸３ａに平行して第２軸９側に延びる平行軸部１６を有している。この平行軸部１６の先端は、表示筐体７に一体の第２軸９の周面に当接する。
また、図２に示すように、アーム１５と、第１筐体１のブラケット１１の近傍に設けたボス１７との間には、引張りコイルバネ１８が架け渡されている。この引張りコイルバネ１８の付勢により、平行軸部１６の先端が第２軸９の周面に当接状態に保持される。
なお、図３に示すように、第２軸９には、径を滑らかに小径としたカム面９ａが形成されている。
【００１４】
以上により、指紋センサ部６を、図１に示すように、第１筐体１及び第２筐体２を折り畳んだ閉じ状態で指紋センサ面６ａをヒンジ部３背後の端面方向の向きの第１位置に回動した状態に保持する一方、図４に示すように、両筐体１・２の開き状態では指紋センサ面６ａを操作部６とほぼ同一方向の向きの第２位置に回動した状態に保持する回動保持機構１９が構成される。
まず、図１に示した両筐体１・２の閉じ状態において、図示のとおり、指紋センサ部６はその指紋センサ面６ａをヒンジ部３背後の端面方向の向きに回動した状態（第１位置）に保持される。このとき、平行軸部１６の先端は第２軸９のカム面９ａに当接状態となっている。
【００１５】
この閉じ状態から図４に示す開き状態にする際は、表示筐体７の回動操作に連動して回動するアーム１５と一体のヒンジ軸３ａの歯車１４の回動により、これに噛み合う歯車１３を有する支軸１２が回動して、図４に示したように、ヒンジ部３において、指紋センサ部６がその指紋センサ面６ａを操作部６とほぼ同一方向の向きに回動した状態（第２位置）に保持される。
逆に、両筐体１・２の開き状態から閉じ状態への回動の際も同様に連動して、図１に示したように、指紋センサ部６がその指紋センサ面６ａをヒンジ部３背後の端面方向の向きに戻った状態（第１位置）に保持される。
従って、開き状態及び閉じ状態共に操作しやすい指紋読み取り操作が行える。
【００１６】
次に、図６は図５の開き状態から表示筐体５を反対側に回転させた状態を示したもので、図５の開き状態において、表示筐体７がその表示部５を操作部４とほぼ同一方向に向けている状態を第１向きとして、図６に示すように、表示筐体７がその表示部５を反対側に向けている状態を第２向きとする。
すなわち、図５の開き状態において、ヒンジ筐体８に対し、表示筐体７をこれに一体の第２軸９を支点に１８０度回転すると、引張りコイルバネ１８の付勢により、第２軸９のカム面９ａに先端が当接状態となっていた平行軸部１６は、図６に示したように、カム面９ａから第２軸９の外周に押され、引張りコイルバネ１８の付勢に抗して、アーム１５と一体のヒンジ軸３ａの歯車１４が側方に移動する。これにより、支軸１２の歯車１３に対する噛み合いが外れる。
【００１７】
従って、図６の第２向き状態から図８に示す折り畳んだ状態で表示部５を見るビューワ状態にしても、歯車１３・１４の噛み合いが絶たれているため、筐体１・２の折り畳みに連動して指紋センサ部６は回動しないものとなる。
このため、ビューワ状態でも操作しやすい指紋読み取り操作が行える。
【００１８】
なお、図８の状態から図６の状態に戻せば、歯車１３・１４は噛み合い状態に復帰する。
【００１９】
次に、図１０は回動保持機構の他の構成例を示したもので、指紋センサ部６の支軸１２と一体に内歯歯車２３を設けて、この内歯歯車２３に、アーム１５と一体のヒンジ軸３ａの歯車１４を噛み合わせる構成とした。
このような歯車１４と内歯歯車２３を採用しても同様の機能が得られる。
【００２０】
なお、以上の実施形態においては、折り畳み式携帯端末装置として携帯電話機としたが、本発明はこれに限定されるものではなく、ＰＤＡ、その他の折り畳み式の携帯型電子機器であっても良い。
また、各機構の構成も任意であり、その他、具体的な細部構造等についても適宜に変更可能であることは勿論である。
【図面の簡単な説明】
【００２１】
【図１】本発明を適用した携帯端末装置の一実施形態の構成を示すもので、折り畳み式携帯電話機を折り畳んで閉じた状態の斜視図である。
【図２】図１のヒンジ筐体を透視状態として内部機構を示した斜視図である。
【図３】図２の第２軸及びアームの関係を一部破断して示した図である。
【図４】図１の折り畳み式携帯電話機を開いた状態の斜視図である。
【図５】図４のヒンジ筐体を透視状態として内部機構を示した平面図である。
【図６】図５の状態から表示筐体を反対側に回転させた状態を示した平面図である。
【図７】図６の第２軸及びアームの関係を一部破断して示した図である。
【図８】図６の状態から表示筐体を折り畳んだ状態を示した斜視図である。
【図９】図８のヒンジ筐体を透視状態として内部機構を示した斜視図である。
【図１０】回動保持機構の他の構成例を示した斜視図である。
【符号の説明】
【００２２】
１  第１筐体
２  第２筐体
３  ヒンジ部
３ａ  ヒンジ軸
４  操作部
５  表示部
６  指紋センサ部
６ａ  指紋センサ面
７  表示筐体
８  ヒンジ筐体
９  第２軸
９ａ  カム面
１１  ブラケット
１２  支軸
１３・１４  歯車
１５  アーム
１６  平行軸部
１７  ボス
１８  バネ
１９  回動保持機構
２３  内歯歯車
【図１】
2008054179.tif 000003
【図２】
2008054179.tif 000004
【図３】
2008054179.tif 000005
【図４】
2008054179.tif 000006
【図５】
2008054179.tif 000007
【図６】
2008054179.tif 000008
【図７】
2008054179.tif 000009
【図８】
2008054179.tif 000010
【図９】
2008054179.tif 000011
【図１０】
2008054179.tif 000012